(57)【要約】      （修正有）【課題】ユーザーが着用することに適合したウェアラブル装置を提供する。【解決手段】ユーザーが着用することに適合したウェアラブル装置１０００は、第１装置本体１、第２装置本体２、第１表示ユニット３、第２表示ユニット４、第３表示ユニット、及びバンド６を備えている。第２装置本体は第１装置本体に接続され、第２装置本体は第１装置本体に対して可動であり、第２装置本体は、第１装置本体に対して折り畳み状態と広げ状態とになることができる。第１表示ユニットは第１装置本体に配置され、第２表示ユニットは第１装置本体の第１表示ユニットと対面する第２装置本体の第１面Ｓ１に配置され、第３表示ユニットは、第２装置本体の第１面と逆方向を向いている第２装置本体の面である第２装置本体の第２面に配置されている。バンドは、第１装置本体に接続され、バンドはユーザーの肢部に着けることに適合している。【選択図】図２
0003230515.tif 000002
【実用新案登録請求の範囲】
【請求項１】
ユーザーが着用することに適合したウェアラブル装置であって、
第１装置本体と、
前記第１装置本体と接続され、前記第１装置本体に対して可動であり、これにより第２装置本体が前記第１装置本体に対して折り畳み状態及び広げ状態になりうる第２装置本体と、
前記第１装置本体に配置されている第１表示ユニットと、
前記第２装置本体の第１面に配置され、前記第２装置本体の前記第１面は前記第１装置本体の前記第１表示ユニットに対面する第２表示ユニットと、
前記第２装置本体の第２面に配置されている第３表示ユニットであり、前記第２装置本体の前記第２面は、前記第２装置本体の前記第１面と逆方向を向いている前記第２装置本体の面である、第３表示ユニットと、
前記第１装置本体に接続され、前記ユーザーの肢部に着けることに適合しているバンドとを備え、
前記第２装置本体が前記第１装置本体に対して前記折り畳み状態にあるときに、前記第２表示ユニットは前記第１表示ユニットに隣接し、
前記第２装置本体が前記第１装置本体に対して前記広げ状態にあるときに、前記第２表示ユニットは前記第１表示ユニットから遠ざかる、ウェアラブル装置。
【請求項２】
枢軸部材をさらに備え、前記第２装置本体が前記枢軸部材を介して前記第１装置本体に対して回転可能であり、
前記第１表示ユニット、前記第２表示ユニット及び前記第３表示ユニットのそれぞれが表示パネルである請求項１記載のウェアラブル装置。
【請求項３】
前記第１表示ユニット及び前記第２表示ユニットはそれぞれ、折り畳み可能な表示パネルの第１部分及び第２部分であり、前記第２部分は前記第１部分に接続され、前記第３表示ユニットは表示パネルである請求項１記載のウェアラブル装置。
【請求項４】
無線信号を受信するように構成されている無線通信ユニットと、
前記第１表示ユニット，前記第２表示ユニット，前記第３表示ユニット及び前記無線通信ユニットと結合されている制御ユニットとをさらに備え、
前記無線通信ユニットが前記無線信号を受信したときに、前記制御ユニットは、着信インターフェースを表示するように、前記第１表示ユニット，前記第２表示ユニット及び前記第３表示ユニットの少なくとも一つを制御する請求項１記載のウェアラブル装置。
【請求項５】
前記制御ユニットと結合されている検出ユニットをさらに備え、
前記制御ユニットは、前記第２装置本体が前記第１装置本体に対して前記折り畳み状態又は前記広げ状態にあるかを前記検出ユニットによって判定し、
前記検出ユニットが作動されたときに、前記第２装置本体が前記第１装置本体に対して前記折り畳み状態にあり、
前記検出ユニットが作動されないときに、前記第２装置本体が前記第１装置本体に対して前記広げ状態にある請求項４記載のウェアラブル装置。
【請求項６】
前記第２装置本体の前記第１面に配置され、前記制御ユニットと結合されている画像撮影ユニットと、
前記制御ユニットと結合されているオーディオ出力ユニットとをさらに備え、
前記第１表示ユニット，前記第２表示ユニット及び前記第３表示ユニットの少なくとも一つが前記着信インターフェースを表示したときであって、前記第２装置本体が前記第１装置本体に対して前記広げ状態にあるときに、ウェアラブル装置は下記の動作：
前記制御ユニットが前記無線信号に従って前記オーディオ出力ユニットを制御して、音を出力すること、
前記制御ユニットが前記画像撮影ユニットを制御して、画像を撮影すること、及び
前記制御ユニットが前記無線通信ユニットを介して前記画像を送信すること
をするように構成されている請求項４記載のウェアラブル装置。
【請求項７】
前記第２装置本体の前記第２面に配置され、前記制御ユニットと結合されているカメラユニットと、
前記制御ユニットと結合されているオーディオ出力ユニットとをさらに備え、
前記第１表示ユニット，前記第２表示ユニット及び前記第３表示ユニットの少なくとも一つが前記着信インターフェースを表示したときであって、前記第２装置本体が前記第１装置本体に対して前記折り畳み状態にあるときに、ウェアラブル装置は下記の動作：
前記制御ユニットが前記無線信号に従って前記オーディオ出力ユニットを制御して、音を出力すること、
前記制御ユニットが前記カメラユニットを制御して、画像を撮影すること、及び
前記制御ユニットが前記無線通信ユニットを介して前記画像を送信すること
をするように構成されている請求項４記載のウェアラブル装置。
【請求項８】
音を収音することに適合しているオーディオ収音ユニットと、
無線信号を受信し、又は前記音に対応したオーディオ信号を送信することに適合している無線通信ユニットと、
前記オーディオ収音ユニット及び前記無線通信ユニットと結合されている制御ユニットとをさらに備え、
ウェアラブル装置は下記の動作：
前記オーディオ収音ユニットが前記音を収音したときに、前記制御ユニットが前記音を前記オーディオ信号に変換すること、
前記オーディオ信号を前記無線信号に変換することに適合している外部コンピューターユニットに、前記無線通信ユニットが前記オーディオ信号を送信すること、及び
前記無線通信ユニットが前記無線信号を受信したときに、前記制御ユニットが、前記無線信号に従って動作手順を実行すること
をするように構成されている請求項１記載のウェアラブル装置。
【請求項９】
測位信号源との通信を確立することに適合している測位ユニットと、
クラウドサーバーとの通信を確立することに適合している無線通信ユニットと、
前記測位ユニット及び前記無線通信ユニットと結合されている制御ユニットとをさらに備え、
ウェアラブル装置は、下記の動作：
前記無線通信ユニットが、前記クラウドサーバーを介して電子機器から制御信号を受信したときに、前記制御ユニットが、前記測位ユニットを介して前記測位信号源からウェアラブル装置の座標値を得ること、及び
前記制御ユニットが、前記無線通信ユニットを制御して、前記座標値を前記クラウドサーバーに送信すること
をするように構成されている請求項１記載のウェアラブル装置。
【請求項１０】
前記無線通信ユニットが前記電子機器から前記制御信号を受信したときに、前記制御ユニットは、前記測位ユニットをオンにし、前記測位信号源との通信を確立する請求項９記載のウェアラブル装置。
【請求項１１】
測位信号源との通信を確立することに適合している測位ユニットと、
クラウドサーバーとの通信を確立することに適合している無線通信ユニットと、
前記測位ユニット及び前記無線通信ユニットと結合されている制御ユニットとをさらに備え、
前記制御ユニットが緊急コマンドを受信したときに、ウェアラブル装置は、下記の動作：
前記制御ユニットが、前記測位ユニットを介して前記測位信号源からウェアラブル装置の座標値を得ること、及び
前記制御ユニットが、前記無線通信ユニットを制御して、前記座標値を前記クラウドサーバーに送信すること
をするように構成されている請求項１記載のウェアラブル装置。
【請求項１２】
ウェアラブル装置警告音を生成することに適合しているオーディオ出力ユニットと、
電子機器との通信を確立することに適合しているポイントツーポイント通信ユニットと、
前記ポイントツーポイント通信ユニットと結合されている制御ユニットとをさらに備え、
ウェアラブル装置は、下記の動作：
前記制御ユニットが、前記ポイントツーポイント通信ユニットを制御して、前記電子機器との通信を確立すること、及び
前記制御ユニットが、前記ポイントツーポイント通信ユニットを制御して、機器探索信号を前記電子機器に送信するか、又は前記制御ユニットが、前記ポイントツーポイント通信ユニットを制御して、前記電子機器からウェアラブル装置探索信号を受信すること
をするように構成され、
前記電子機器が前記機器探索信号を受信したときに、前記電子機器は電子機器警告音を生成し、
前記ポイントツーポイント通信ユニットが前記ウェアラブル装置探索信号を受信したときに、前記制御ユニットは前記オーディオ出力ユニットを制御して、前記ウェアラブル装置警告音を生成する請求項１記載のウェアラブル装置。
【請求項１３】
前記電子機器が前記機器探索信号を受信したときに、前記制御ユニットは、前記ポイントツーポイント通信ユニットを介してウェアラブル装置と前記電子機器との間の距離を算出し、及び
前記ポイントツーポイント通信ユニットが前記ウェアラブル装置探索信号を受信したときに、前記電子機器は、ウェアラブル装置と前記電子機器との間の距離を算出する請求項１２記載のウェアラブル装置。
【考案の詳細な説明】
【技術分野】
【０００１】
本考案は、ユーザーが着用することに適合したウェアラブル装置に関し、特に、ウェアラブル装置が三つの表示ユニットを有し、ユーザーが着用することに適合したウェアラブル装置に関する。
【背景技術】
【０００２】
従来のウェアラブル装置は、限定はされないが、生理学的データの検出、時間表示、携帯電話とのデータ同期などを含む機能を有している。近年では、ウェアラブル装置は、ユーザーが他のユーザーと話したり、写真を撮ったりするために、通信モジュールやカメラを伴って作動するように構成されることがある。しかし、ビデオ通話のために上記のウェアラブル装置をユーザーが使用すると、ウェアラブル装置の上に表示された画像は、小さく、不明瞭になることがある。
【考案の概要】
【０００３】
このことに着目し、本開示は、三つの表示ユニットを有するウェアラブル装置を提供する。
【０００４】
上述の技術的問題を解決するために、本開示は、ユーザーが着用することに適合したウェアラブル装置を提供し、ウェアラブル装置は、第１装置本体，第２装置本体，第１表示ユニット，第２表示ユニット，第３表示ユニット及びバンドを備えている。第２装置本体は、第１装置本体と接続され、第１装置本体に対して可動であり、これにより第２装置本体が第１装置本体に対して折り畳み状態及び広げ状態になりうる。第１表示ユニットは、第１装置本体に配置されている。第２表示ユニットは、第２装置本体の第１面に配置され、第２装置本体の第１面は第１装置本体の第１表示ユニットに対面する。第３表示ユニットは、第２装置本体の第２面に配置され、第２装置本体の第２面は、第２装置本体の第１面と逆方向を向いている第２装置本体の面である。バンドは、第１装置本体に接続され、ユーザーの肢部に着けることに適合している。第２装置本体が第１装置本体に対して折り畳み状態にあるときに、第２表示ユニットは第１表示ユニットに隣接し、第２装置本体が第１装置本体に対して広げ状態にあるときに、第２表示ユニットは第１表示ユニットから遠ざかる。
【０００５】
本開示の実施形態によれば、ウェアラブル装置はさらに、無線通信ユニット，制御ユニット，画像撮影ユニット及びオーディオ出力ユニットを備えている。無線通信ユニットは、無線信号を受信するように構成されている。制御ユニットは、第１表示ユニット，第２表示ユニット，第３表示ユニット，無線通信ユニット，画像撮影ユニット及びオーディオ出力ユニットと結合されている。無線通信ユニットが無線信号を受信したときに、制御ユニットは、着信インターフェースを表示するように、第１表示ユニット，第２表示ユニット及び第３表示ユニットの少なくとも一つを制御する。第１表示ユニット，第２表示ユニット及び第３表示ユニットの少なくとも一つが着信インターフェースを表示したときであって、第２装置本体が第１装置本体に対して広げ状態にあるときに、ウェアラブル装置は下記の動作：制御ユニットが無線信号に従ってオーディオ出力ユニットを制御して、音を出力すること、制御ユニットが画像撮影ユニットを制御して、画像を撮影すること、及び制御ユニットが無線通信ユニットを介して画像を送信することをするように構成されている。
【０００６】
要約すれば、本開示のウェアラブル装置は、第１表示ユニット，第２表示ユニット及び第３表示ユニットを備えている。本開示のウェアラブル装置の第２装置本体が、第１装置本体に対して折り畳み状態及び広げ状態になりうる。従って、本開示のウェアラブル装置が、無線通信ユニット，制御ユニット，画像撮影ユニット及びオーディオ出力ユニットによって、ビデオ通話を行うように構成されたときに、第２装置本体が広げ状態にある場合に、第１装置本体，第２装置本体にそれぞれ位置する第１表示ユニット，第２表示ユニットは、制御ユニットによって第１表示ユニット，第２表示ユニットに画像を一緒に表示することができる。第１表示ユニットと第２表示ユニットとに一緒に画像を表示することによって、ユーザーは、一層明瞭に表示された画像を用いて、ビデオ通話を行うことができる。
【図面の簡単な説明】
【０００７】
【図１】本開示の第１実施形態に係る、折り畳み状態にあるウェアラブル装置の概略図である。
【図２】本開示の第１実施形態に係る、広げ状態にあるウェアラブル装置の概略図である。
【図３】本開示の第１実施形態に係る、もう一つの広げ状態にあるウェアラブル装置の概略図である。
【図４】本開示の第２実施形態に係る、折り畳み状態にあるウェアラブル装置の概略図である。
【図５】本開示の第２実施形態に係る、広げ状態にあるウェアラブル装置の概略図である。
【図６】本開示の第２実施形態に係る、もう一つの広げ状態にあるウェアラブル装置の概略図である。
【図７】本開示に係るウェアラブル装置の機能ブロック図である。
【図８】本開示に係るウェアラブル装置と外部コンピューターユニットとを含むシステムの概略図である。
【図９】本開示に係るウェアラブル装置、測位信号源及びクラウドサーバーを含むシステムの概略図である。
【図１０】本開示に係るウェアラブル装置と電子機器とを含むシステムの概略図である。
【考案を実施するための形態】
【０００８】
本技術の当業者が、本開示をよりよく理解するために、以下の詳しい説明は、本開示を通して達成される内容と結果を示すために、下記の好ましい実施形態と図面との関連で理解されうる。なお、実例となる明快さと、読み手に容易に理解されることのために、この開示のさまざまな図面は、本開示に関連する構成要素又は実施形態の簡略化された概略図であることがある。実際の構成要素と構成は、より複雑なことがありうる。特定の構成要素は、一定の縮尺で描画されないことがありうる。そのうえ、図面に示される各々の構成要素の数と寸法は、単に例示的なものであり、構成する要件に従い調節されうる。そのようなものとして、これら構成要素は本開示の範囲を制限することを意図しない。
【０００９】
第１，第２，第３などのような用語が複数の構成要素を記述するのに用いられることがあるが、そのような構成要素は用語によって制限されない。用語は、明細書で構成要素を他の構成要素と区別することのみに用いられる。請求項は同一の用語を使わないことがあり、その代わりに、構成要素が記載される順序に関して第１，第２，第３の用語が使用されうる。従って、以下の記載において、第１の構成要素は、請求項の第２の構成要素でありうる。
【００１０】
ある構成要素が別の構成要素に「接している」とか「接続されている」として言及されたときに、これは、別の構成要素に直接接していたり、直接接続されていたりしていてよいし、介在する構成要素又は要素が現れていてもよい。これと対照的に、ある構成要素が別の構成要素に「直接接している」とか「直接接続されている」として言及されたときには、介在する構成要素又は要素は存在しない。
【００１１】
以下の記載で述べる異なる実施形態の技術的な特徴は、本開示の精神を逸脱しない範囲でもう一つの実施形態を構成するために、互いに交換されたり、組み合わせ直したり、混合されたりしてよいということに、留意するものとする。
【００１２】
図１〜３を参照する。図１は、本開示の第１実施形態に係る、折り畳み状態にあるウェアラブル装置１０００の概略図である。図２は、本開示の第１実施形態に係る、広げ状態にあるウェアラブル装置１０００の概略図である。図３は、本開示の第１実施形態に係る、もう一つの広げ状態にあるウェアラブル装置１０００の概略図である。ウェアラブル装置１０００は、第１装置本体１，第２装置本体２，第１表示ユニット３，第２表示ユニット４，第３表示ユニット５及びバンド６を備えている。第２装置本体２は第１装置本体１に接続され、第２装置本体２は、第１装置本体１に対して可動であり、これにより第２装置本体２は第１装置本体１に対して、図１に示す折り畳み状態、また図２，３に示す広げ状態になることができる。第１表示ユニット３は第１装置本体１に配置されている。第２表示ユニット４は、第２装置本体２の第１面Ｓ１に配置され、第２装置本体２の第１面Ｓ１は第１装置本体１の第１表示ユニット３に対面する。第３表示ユニット５は、第２装置本体２の第２面Ｓ２に配置され、第２装置本体２の第２面Ｓ２は、第２装置本体２の第１面Ｓ１と逆方向を向いている第２装置本体２の面である。バンド６は、第１装置本体１に接続され、バンド６はユーザーの肢部（ｌｉｍｂ，手足）に着けることに適合している。
【００１３】
本実施形態で、ウェアラブル装置１０００はさらに枢軸部材７を備えている。第２装置本体２は、枢軸部材７において第１装置本体１に対して回転可能である。即ち、第２装置本体２は、枢軸部材７によって第１装置本体１に枢軸的に接続されている。従って、第２装置本体２が第１装置本体１に対して折り畳み状態になるように第２装置本体２が枢軸部材７を介して回転すると、第２表示ユニット４は第１表示ユニット３に隣接する（図１に示す）。
【００１４】
第２装置本体２が第１装置本体１に対して広げ状態になるように第２装置本体２が枢軸部材７を介して回転すると、第２表示ユニット４は第１表示ユニット３から遠ざかる（図２，３に示す）。これに加え、第１表示ユニット３，第２表示ユニット４，第３表示ユニット５はそれぞれ表示パネルであってよく、表示パネルは例えば、液晶ディスプレイ（ＬＣＤ）であってよい。しかし本開示はこれに限定されない。
【００１５】
図４〜６を参照する。図４は、本開示の第２実施形態に係る、折り畳み状態にあるウェアラブル装置１０００’の概略図である。図５は、本開示の第２実施形態に係る、広げ状態にあるウェアラブル装置１０００’の概略図である。図６は、本開示の第２実施形態に係る、もう一つの広げ状態にあるウェアラブル装置１０００’の概略図である。ウェアラブル装置１０００’と上述のウェアラブル装置１０００との主要な相違点は、ウェアラブル装置１０００’の第１表示ユニット３’及び第２表示ユニット４’が、それぞれ、一つの折り畳み可能な表示パネルの第１部分及び第２部分であることである。第２部分は第１部分に接続されているものである。ウェアラブル装置１０００’の第３表示ユニット５は、表示パネルである。この折り畳み可能な表示パネルは、例えば、可撓性のある有機発光ダイオード（ＯＬＥＤ）表示パネルであってよく、表示パネルは例えばＬＣＤであってよいが、本開示はこれに限定されない。既に述べた実施形態と同じ参照符号を付した本実施形態の構成要素及び要素は、同様の構造的な構成と、作用原理とを有する。従って、簡明さのために、このような構成要素の説明は、以下は省略する。
【００１６】
図７を参照する。図７は、本開示に係るウェアラブル装置１０００，１０００’の機能的なブロック図である。ウェアラブル装置１０００，１０００’はさらに、無線通信ユニット８と制御ユニット９とを有する。無線通信ユニット８は、無線信号を受信することに適合している。無線信号は例えば、グローバル移動通信システムＧｌｏｂａｌ  Ｓｙｓｔｅｍ  ｆｏｒ  Ｍｏｂｉｌｅ  Ｃｏｍｍｕｎｉｃａｔｉｏｎｓからの信号（即ちＧＳＭ信号）であってよい。制御ユニット９は、第１表示ユニット３，３’，第２表示ユニット４，４’，第３表示ユニット５及び無線通信ユニット８に結合されている。
【００１７】
着信表示機能
本開示のウェアラブル装置１０００，１０００’は、上述の無線通信ユニット８及び制御ユニット９を用いて、着信表示機能を行う。具体的には、無線通信ユニット８が無線信号を受信すると、制御ユニット９は、第１表示ユニット３，３’，第２表示ユニット４，４’及び第３表示ユニット５の少なくとも一つを制御し、着信（ｉｎｃｏｍｉｎｇ  ｃａｌｌ）インターフェースＵＩを表示する。本開示のウェアラブル装置１０００，１０００’は、着信表示機能を行うために、外部電子機器（例えば携帯電話）から送信された無線信号を表示してよい。
【００１８】
図７に示すように、本開示のウェアラブル装置１０００，１０００’はさらに、制御ユニット９に結合された検出ユニットＡを備えている。制御ユニット９は、検出ユニットＡによって第２装置本体２が第１装置本体１に対して折り畳み状態又は広げ状態にあることを判定する。例えば、第２装置本体２が第１装置本体１に対して折り畳み状態にあるときに、第２装置本体２は第１装置本体１に近接するか、隣接するので、検出ユニットＡが作動される。従って、検出ユニットＡが作動されたときに、制御ユニット９は、第２装置本体２が第１装置本体１に対して折り畳み状態にあると判定できる。他方、第２装置本体２が第１装置本体１に対して広げ状態にあるときに、第２装置本体２は第１装置本体１から遠ざかるので、検出ユニットＡは作動されない。従って、検出ユニットＡが作動されないときに、制御ユニット９は、第２装置本体２が第１装置本体１に対して広げ状態にあると判定できる。
【００１９】
従って、上述の説明により、この第２装置本体２が第１装置本体１に近接しているか遠ざかっているかは、検出ユニットＡが作動されているかどうかに基づく。本実施形態では、検出ユニットＡはホール効果センサー又は光学センサーであってよいが、本開示はこれに限定されない。
【００２０】
さらに図１〜６を参照する。本開示のウェアラブル装置１０００，１０００’はさらに、画像撮影ユニットＢ，オーディオ出力ユニットＣ及びカメラユニットＤを有してよい。画像撮影ユニットＢは、第２装置本体２の第１面Ｓ１に配置され、制御ユニット９と結合されている。オーディオ出力ユニットＣは制御ユニット９と結合され、カメラユニットＤは、第２装置本体２の第２面Ｓ２に配置され、制御ユニット９と結合されている。
【００２１】
ビデオ通話機能
本開示のウェアラブル装置１０００，１０００’は、前述の無線通信ユニット８，制御ユニット９，画像撮影ユニットＢ，オーディオ出力ユニットＣ及びカメラユニットＤを利用して、ビデオ通話機能を行う。具体的に、第１表示ユニット３，３’，第２表示ユニット４，４’及び第３表示ユニット５の少なくとも一つが着信インターフェースＵＩを表示したときに、ウェアラブル装置１０００，１０００’は下記のステップを行うように構成されている。
【００２２】
ステップＳ１００：制御ユニット９が、無線通信ユニット８で受信した無線信号に従って、オーディオ出力ユニットＣを制御し、音を出力する。
【００２３】
ステップＳ１０１：制御ユニット９が、画像を撮影するように画像撮影ユニットＢを制御する。
【００２４】
ステップＳ１０２：制御ユニット９が無線通信ユニット８を介して画像を送る。
【００２５】
ステップＳ１００の間に、第２装置本体２が第１装置本体１に対して広げ状態にあるときに、制御ユニット９はさらに、無線通信ユニット８で受信した無線信号に従って第１表示ユニット３，３’及び／又は第２表示ユニット４，４’を制御し、画像を表示することができる。このように、本開示のウェアラブル装置１０００，１０００’は、第２装置本体２が第１装置本体１に対して広げ状態にあるときに、ビデオ通話機能が行える。
【００２６】
他方、ステップＳ１００では、第２装置本体２が第１装置本体１に対して折り畳み状態にあるときに、制御ユニット９はさらに、無線通信ユニット８で受信した無線信号に従って第３表示ユニット５を制御し、画像を表示してもよい。このように、本開示のウェアラブル装置１０００，１０００’は、第２装置本体２が第１装置本体１に対して折り畳み状態にあるときに、ビデオ通話機能が行える。
【００２７】
図７，８を参照する。図８は本開示のウェアラブル装置１０００，１０００’及び外部コンピューターユニットＦを備えたシステムの概略図である。無線通信ユニット８は例えば、グローバル移動通信システムＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）であってよく、ＧＳＭは、ビデオ通話機能を行うために、インターネットＩを介して外部コンピューターユニットＦに接続する。しかし、本開示の無線通信ユニット８はこれに限定されず、例えば、本開示の無線通信ユニット８は、ワイヤレスフィデリティ（ＷｉＦｉ）システムであってもよい。ＷｉＦｉシステムは、ビデオ通話機能を行うために、ルーター（図示せず）を介して外部コンピューターユニットＦに接続する。本実施形態では、外部コンピューターユニットＦは例えば、デスクトップコンピューター又はノートブックコンピューターであってよい。
【００２８】
図７，８に示すように、ウェアラブル装置１０００，１０００’はさらに、音を収音することに適合しているオーディオ収音ユニットＥを備えている。無線信号の受信への適合に加えて、無線通信ユニット８はさらに音と対応するオーディオ信号を送ってもよい、又は送信してもよい。制御ユニット９は、オーディオ収音ユニットＥと結合されている。
【００２９】
音声支援機能
本開示のウェアラブル装置１０００，１０００’は、上述の無線通信ユニット８，制御ユニット９及びオーディオ収音ユニットＥを利用し、音声支援機能を行う。具体的には、ウェアラブル装置１０００，１０００’は下記のステップを行うように構成されている。
【００３０】
ステップＳ２００：オーディオ収音ユニットＥが音を収音したときに、制御ユニット９が音をオーディオ信号に変換する。
【００３１】
ステップＳ２０１：無線通信ユニット８がオーディオ信号を外部コンピューターユニットＦに送信し、外部コンピューターユニットＦが、オーディオ信号を無線信号に変換することに適合している。
【００３２】
ステップＳ２０２：無線通信ユニット８が無線信号を受信すると、制御ユニット９が無線信号に従って動作手順を行う。
【００３３】
本開示の音声支援機能は、ウェアラブル装置１０００，１０００’上でのアプリケーション（ａｐｐ）によって開始又は作動されることができる。ここでは、声のメッセージ、オーディオメッセージなどが、ＧＳＭ信号又はＷｉＦｉ信号によって解析のためにサードパーティプラットフォームに送信され、行おうとする処理を判定する。これによりユーザーは、行おうとする処理に従って、ウェアラブル装置１０００，１０００’を作動することができる。
【００３４】
例えば、ユーザーがウェアラブル装置１０００，１０００’で音声支援機能を行う場合に、ユーザーは、音又は声のコマンド、例えば「ダイヤルコンタクトＡ」を発することができる。このときに、オーディオ収音ユニットＥは、「ダイヤルコンタクトＡ」の音を収音し、制御ユニット９は「ダイヤルコンタクトＡ」の音をオーディオ信号に変換する。無線通信ユニット８は、オーディオ信号を外部コンピューターユニットＦに送信する。外部コンピューターユニットＦは、例えば、グーグル社のアプリケーションプログラミングインタフェースＡＰＩ（以下グーグルＡＰＩと称する）であってよい。オーディオ信号は、グーグルＡＰＩで解析され、オーディオ信号が「ダイヤルコンタクトＡ」の動作を含むと判定された後には、「ダイヤルコンタクトＡ」の動作を含む無線信号がウェアラブル装置１０００，１０００’に返信される。ウェアラブル装置１０００，１０００’がこの無線信号を受信した後に、「ダイヤルコンタクトＡ」の動作手順を実行してよい。
【００３５】
図７，９を参照する。図９は、本開示によるウェアラブル装置１０００，１０００’，測位信号源Ｘ及びクラウドサーバーＹを備えているシステムの概略図であり、測位信号源Ｘは、衛星や信号タワーであってよいが、これに限定されない。さらにウェアラブル装置１０００，１０００’は、測位信号源Ｘとの通信を確立するのに適合した測位ユニットＧを備えてよい。測位ユニットＧは、衛星測位ユニット、例えば、全地球測位システム（ＧＰＳ）モジュールであってよいが、これに限定されない。無線通信ユニット８は、クラウドサーバーＹとの通信を確立することに適合している。制御ユニット９は、測位ユニットＧと無線通信ユニット８とに結合されている。
【００３６】
座標探索機能
本開示のウェアラブル装置１０００，１０００’は、上述した無線通信ユニット８，制御ユニット９及び測位ユニットＧを利用して、座標探索機能を行う。具体的には、ウェアラブル装置１０００，１０００’は下記のステップを行う。
【００３７】
ステップＳ３００：無線通信ユニット８が、クラウドサーバーＹを介して電子機器Ｚから制御信号を受信したときに、制御ユニット９が、測位ユニットＧを介して測位信号源Ｘからウェアラブル装置１０００，１０００’の座標値を得る。
【００３８】
ステップＳ３０１：制御ユニット９が、無線通信ユニット８を制御して、座標値をクラウドサーバーＹに送信する、又は送る。
【００３９】
実際にはウェアラブル装置１０００，１０００’は、まず電子機器Ｚ（例えば携帯電話又はノートブックコンピューターなど）とリンクされる。それから、電子機器Ｚはアプリケーションを用いてクラウドサーバーＹへ制御信号を送信してよい、又は送ってよい。クラウドサーバーＹが制御信号を受信した後に、クラウドサーバーＹはＧＳＭ信号又はＷｉＦｉ信号をウェアラブル装置１０００，１０００’に送信してよい、又は送ってよい。制御信号を受信した後に、ウェアラブル装置１０００，１０００’の制御ユニット９は、測位ユニットＧを介して測位信号源Ｘからウェアラブル装置１０００，１０００’の座標値を得てよく、この後に、無線通信ユニット８を制御して、座標値をクラウドサーバーＹに送信する、又は送る。このようにクラウドサーバーＹは、ウェアラブル装置１０００，１０００’の現在の座標値を得てよく、現在の座標値は、電子機器Ｚに取り込む、又は取得することができる。ここで注目に値することは、ウェアラブル装置１０００，１０００’の無線通信ユニット８が制御信号を受信したときに、もしウェアラブル装置１０００，１０００’の測位ユニットＧがこの時点でオンになっていなければ、制御ユニット９はまず測位ユニットＧをオンにし、測位信号源Ｘとの通信を確立し、座標探索機能を行うことが可能であることである。
【００４０】
緊急コマンド送受信機能
本開示のウェアラブル装置１０００，１０００’は、上述の無線通信ユニット８，制御ユニット９，測位ユニットＧを利用し、緊急コマンド送受信機能を行う。具体的には、ウェアラブル装置１０００，１０００’は、下記のステップを行う。
【００４１】
ステップＳ４００：制御ユニット９が、測位ユニットＧを介して測位信号源Ｘからウェアラブル装置１０００，１０００’の座標値を得る。
【００４２】
ステップＳ４０１：制御ユニット９が、無線通信ユニット８を制御して、座標値をクラウドサーバーＹに送信する、又は送る。
【００４３】
実際にはウェアラブル装置１０００，１０００’は、まず電子機器Ｚ（例えば携帯電話又はノートブックコンピューターなど）とリンクされる。それから、ユーザーはウェアラブル装置１０００，１０００’上でアプリケーションを用いて緊急コマンド送受信機能を作動させることができる。ウェアラブル装置１０００，１０００’で緊急コマンド送受信機能が作動されたときに、ウェアラブル装置１０００，１０００’は、測位ユニットＧを介して測位信号源Ｘからウェアラブル装置１０００，１０００’の現在の座標値を得て、その後に、現在の座標値をクラウドサーバーＹに送信する。現在の座標値を受信した後に、クラウドサーバーＹは、関係職員にＧＳＭ信号又はＷｉＦｉ信号で現在の座標値を送信してよい、又は送ってよい。これにより、関係職員が、緊急スタッフ又は初期対応要員に告知するなどの後の処理をリアルタイムで行うようにする。
【００４４】
図７，１０を参照する。図１０は、本開示に係るウェアラブル装置１０００，１０００’及び電子機器Ｚを含むシステムの概略図である。さらにウェアラブル装置１０００，１０００’は、ポイントツーポイント通信ユニットＨと、ウェアラブル装置警告音を生成するオーディオ出力ユニットＣとを有してよい。ポイントツーポイント通信ユニットＨは、電子機器Ｚとの通信を確立することに適合している。制御ユニット９は、ポイントツーポイント通信ユニットＨに結合されている。
【００４５】
警告音による双方向の機器探索機能
本開示のウェアラブル装置１０００，１０００’は、警告音による双方向の機器探索機能を行うために、上述の制御ユニット９，オーディオ出力ユニットＣ及びポイントツーポイント通信ユニットＨを利用する。具体的には、ウェアラブル装置１０００，１０００’は下記のステップを行うように構成されている。
【００４６】
ステップＳ５００：制御ユニット９がポイントツーポイント通信ユニットＨを制御し、電子機器Ｚとの通信を確立する。
【００４７】
ステップＳ５０１：制御ユニット９がポイントツーポイント通信ユニットＨを制御して、電子機器Ｚに機器探索信号を送信する、又は送る。又は制御ユニット９がポイントツーポイント通信ユニットＨを制御して、電子機器Ｚからウェアラブル装置探索信号を受信する。
【００４８】
電子機器Ｚが機器探索信号を受信したときに、電子機器Ｚは電子機器警告音を生成する。また、ポイントツーポイント通信ユニットＨがウェアラブル装置探索信号を受信したときに、制御ユニット９はオーディオ出力ユニットＣを制御して、ウェアラブル装置警告音を生成する。
【００４９】
本実施形態では、ウェアラブル装置１０００，１０００’は例えば、スマートリストバンド又はスマート腕時計であってよい。電子機器Ｚは例えば、携帯電話であってよい。ポイントツーポイント通信ユニットＨはブルートゥース（登録商標）構成要素であってよいが、本開示はこれらに限定されない。ウェアラブル装置１０００，１０００’（例えばスマートリストバンド）の制御ユニット９は、無線通信ユニット８（例えばブルートゥース（登録商標）構成要素）を制御し、電子機器Ｚ（例えば携帯電話）との通信を確立する。
【００５０】
ステップＳ５０１の間に、ユーザーが電子機器Ｚ（即ち携帯電話）を探索するためにウェアラブル装置１０００，１０００’（即ちスマートリストバンド）を使用したいときには、ポイントツーポイント通信ユニットＨ（即ちブルートゥース（登録商標）構成要素）は、機器探索信号を送信する又は送るのに、使用できる。電子機器Ｚ（即ち携帯電話）が機器探索信号を受信したときに、電子機器Ｚ（即ち携帯電話）は電子機器警告音を生成する。このようにユーザーはウェアラブル装置１０００，１０００’（即ちスマートリストバンド）を用いて電子機器Ｚ（即ち携帯電話）を発見することができる。
【００５１】
ここで注目に値することは、電子機器Ｚ（即ち携帯電話）が機器探索信号を受信したときに、制御ユニット９は、ポイントツーポイント通信ユニットＨ（即ちブルートゥース（登録商標）構成要素）を介してウェアラブル装置１０００，１０００’（即ちスマートリストバンド）と電子機器Ｚ（即ち携帯電話）との間の距離が算出できることである。これにより事後的な処理、例えば、ウェアラブル装置１０００，１０００’（即ちスマートリストバンド）と電子機器Ｚ（即ち携帯電話）との間の距離に基づく電子機器警告音の音量を制御することを行う。
【００５２】
他方、ステップＳ５０１の間に、ユーザーがウェアラブル装置１０００，１０００’（即ちスマートリストバンド）を発見するために電子機器Ｚ（即ち携帯電話）を使用したいときには、電子機器Ｚ（即ち携帯電話）はウェアラブル装置探索信号を生成するのに使用できる。ウェアラブル装置１０００，１０００’（即ちスマートリストバンド）は、ポイントツーポイント通信ユニットＨ（即ちブルートゥース（登録商標）構成要素）を介してウェアラブル装置探索信号を受信してよい。ウェアラブル装置１０００，１０００’（即ちスマートリストバンド）がウェアラブル装置探索信号を受信したときに、ウェアラブル装置１０００，１０００’（即ちスマートリストバンド）はオーディオ出力ユニットＣを制御し、ウェアラブル装置警告音を生成する。このようにユーザーは電子機器Ｚ（即ち携帯電話）を用いてウェアラブル装置１０００，１０００’（即ちスマートリストバンド）を発見することができる。
【００５３】
ここで注目に値することは、ポイントツーポイント通信ユニットＨがウェアラブル装置探索信号を受信したときに、電子機器Ｚ（即ち携帯電話）はポイントツーポイント通信ユニットＨ（即ちブルートゥース（登録商標）構成要素）を介してウェアラブル装置１０００，１０００’（即ちスマートリストバンド）と電子機器Ｚ（即ち携帯電話）との距離が算出できることである。これにより事後的な処理、例えば、ウェアラブル装置１０００，１０００’（即ちスマートリストバンド）と電子機器Ｚ（即ち携帯電話）との距離に基づいてウェアラブル装置警告音の音量を制御することを行う。
【００５４】
利用可能な先行技術と比較すると、本開示のウェアラブル装置は、第１表示ユニット，第２表示ユニット，第３表示ユニットを備え、本開示のウェアラブル装置の第２装置本体は、折り畳み状態又は広げ状態になりうる。従って、本開示のウェアラブル装置が、無線通信ユニット、制御ユニット、画像撮影ユニット及びオーディオ出力ユニットを介してビデオ通話を行うのに使用されると、広げ状態にある第１装置本体，第２装置本体にそれぞれ位置する第１表示ユニット，第２表示ユニットは、制御ユニットによって第１表示ユニット，第２表示ユニットに画像を表示するように同時に作動できる。第１表示ユニット，第２表示ユニットが同時に使用される形で画像を表示することによって、一層明瞭に表示された画像を伴って、ビデオ通話を行うことをユーザーに可能にする。
【００５５】
本技術の当業者は、この装置及び方法のさまざまな変形や改変が、本考案の教示の範囲内で可能であることを直ちに想定することである。従って、上述の開示は、添付する請求項の範囲内でのみ、限定されると解釈されるものとする。
【図１】
0003230515.tif 000003
【図２】
0003230515.tif 000004
【図３】
0003230515.tif 000005
【図４】
0003230515.tif 000006
【図５】
0003230515.tif 000007
【図６】
0003230515.tif 000008
【図７】
0003230515.tif 000009
【図８】
0003230515.tif 000010
【図９】
0003230515.tif 000011
【図１０】
0003230515.tif 000012